(57)【要約】【課題】赤外線伝送機能を具えた音声信号再生装置を提供する。【解決手段】 音声信号再生装置は、処理ユニット１０、デジタルデータの伝送及び受信に用いる赤外線伝送ユニット１１、外部装置との接続に用いるUSBインターフェース１２、該処理ユニット内部のタスク制御に用いるコントロールユニット１３、該処理ユニット内部のタスクを表示する表示ユニット１４、外部装置のデータ保存に用いる保存ユニット１５、デジタル音声データをデジタル信号に転換するデコーダユニット１６、該デコーダユニットと接続するアナログデジタルアダプタ１７により構成し、デジタル信号を音声信号に転換して出力する。該音声信号再生装置は、該赤外線伝送ユニットを介して赤外線伝送機能を具えた他の設備と相互にデジタルデータを伝送し合うことができる。【選択図】図１
0003102772.tif 000002
【実用新案登録請求の範囲】
【請求項１】
音声信号再生装置を、処理ユニット、赤外線伝送ユニット、USBインターフェース、コントロールユニット、表示ユニット、保存ユニット、デコーダユニット、アナログデジタルアダプタにより構成し、
該処理ユニットは、該音声信号再生装置のプロセッサで、
該赤外線伝送ユニットは、該処理ユニットと電気的に接続してデジタルデータの伝送及び受信を行い、かつ、該赤外線伝送ユニットは該音声信号再生装置の端面上に配置され、
該USBインターフェースは、該処理ユニットと電気的に接続して外部装置と連結し、
該コントロールユニットは、該処理ユニットと電気的に接続して該処理ユニット内部のタスクを制御し、
該表示ユニットは、該処理ユニットと電気的に接続して該コントロールユニットが選択した該処理ユニット内部のタスクを表示し、
該保存ユニットは、該処理ユニットと電気的に接続して外部装置のデータの保存を行い、
該デコーダユニットは、該処理ユニットと電気的に接続して該デジタル音声信号データに対して圧縮処理を行い、デジタル信号とし、該デコーダユニットはＭＰ３デコーダで、
該アナログデジタルアダプタは、該デコーダユニットと電気的に接続して該デコーダユニットが処理後のデジタル信号を音声信号に転換し出力することを特徴とする赤外線伝送機能を具えた音声信号再生装置。
【請求項２】
前記保存ユニットと前記処理ユニット間には緩衝器を設けることを特徴とする請求項１記載の赤外線伝送機能を具えた音声信号再生装置。
【考案の詳細な説明】
【技術分野】
【０００１】
本考案は、一種の赤外線伝送機能を具えた音声信号再生装置に関する。特に一種の音声信号再生装置と各種赤外線伝送機能を具えた設備が相互にデジタルデータを伝送し合うことができる赤外線伝送機能を具えた音声信号再生装置に係る。
【背景技術】
【０００２】
ＭＰ３プレーヤは、その内部のプロセッサ及び保存デバイスを利用し、大量の音声データを保存し、該音声データを再生することができる。しかも、ＭＰ３プレーヤ一台が多くのテープやＣＤに相当するため、広くユーザーの支持を受けている。しかし、公知のＭＰ３プレーヤは、多くの音声データをダウンロードし、保存することができるが、一般のＭＰ３プレーヤは、それが具えるUSBインターフェースと他の設備を連結することによってのみデジタルデータの伝送を行うことができる。よって実際の使用上では多くの制限があり、使用者のニーズに適合しているとは言えない。
【考案の開示】
【考案が解決しようとする課題】
【０００３】
上記公知構造の欠点を解決するため、本考案は赤外線伝送機能を具えた音声信号再生装置の提供を課題とする。
その音声信号再生装置と各種赤外線伝送機能を具えた設備は、相互にデジタルデータを伝送し合うことができる。
【課題を解決するための手段】
【０００４】
上記課題を解決するため、本考案は下記の赤外線伝送機能を具えた音声信号再生装置を提供する。音声信号再生装置は、処理ユニット、デジタルデータの伝送及び受信に用いる赤外線伝送ユニット、外部装置との接続に用いるUSBインターフェース、該処理ユニット内部のタスク制御に用いるコントロールユニット、該処理ユニット内部のタスクを表示する表示ユニット、外部装置のデータ保存に用いる保存ユニット、デジタル音声データをデジタル信号に転換するデコーダユニット、該デコーダユニットと接続するアナログデジタルアダプタにより構成し、デジタル信号を音声信号に転換し出力する。該赤外線伝送ユニット、該USBインターフェース、該コントロールユニット、該表示ユニット、該保存ユニット、該デコーダユニットはそれぞれ該処理ユニットと接続する。該音声信号再生装置は該各種赤外線伝送ユニットと各種赤外線伝送機能を具えた設備を利用し相互にデジタルデータを伝送し合うことができる。
【考案の効果】
【０００５】
上記のように、本考案音声信号再生装置は処理ユニット、デジタルデータの伝送及び受信に用いる赤外線伝送ユニット、外部装置との接続に用いるUSBインターフェース、該処理ユニット内部のタスク制御に用いるコントロールユニット、該処理ユニット内部のタスクを表示する表示ユニット、外部装置のデータ保存に用いる保存ユニット、デジタル音声データをデジタル信号に転換するデコーダユニット、該デコーダユニットと接続するアナログデジタルアダプタにより構成し、デジタル信号を音声信号に転換し出力することができる。さらに、該赤外線伝送ユニット、該USBインターフェース、該コントロールユニット、該表示ユニット、該保存ユニット、該デコーダユニットはそれぞれ該処理ユニットと接続するため、該音声信号再生装置は該各種赤外線伝送ユニットと各種赤外線伝送機能を具えた設備を利用し相互にデジタルデータを伝送し合うことができる。
【考案を実施するための最良の形態】
【０００６】
図１〜３が示すように、本考案の音声信号再生装置１は、処理ユニット１０、赤外線伝送ユニット１１、USBインターフェース１２、コントロールユニット１３、表示ユニット１４、保存ユニット１５、デコーダユニット１６、アナログデジタルアダプタ１７により構成する。該音声信号再生装置１は、該赤外線伝送ユニット１１によって該音声信号再生装置１中のデジタルデータを各種赤外線伝送機能を具えた設備２と相互に伝送し合う。該処理ユニット１０は、該音声信号再生装置１のプロセッサで、該赤外線伝送ユニット１１は該処理ユニット１０と電気的に接続し、デジタルデータの伝送および受信を行う。該赤外線伝送ユニット１１は該音声信号再生装置１の端面上に設置する。該USBインターフェース１２は、該処理ユニット１０と電気的に接続し、外部装置（図示なし）と連結する。該コントロールユニット１３は、該処理ユニット１０と電気的に接続し、該処理ユニット１０内部のタスクを制御する。該コントロールユニット１３は、一個以上のボタン１３１を対応して設置する。該一個以上のボタン１３１は、該音声信号再生装置１の表面に設置される。
【０００７】
該表示ユニット１４は、該処理ユニット１０と電気的に接続し、該コントロールユニット１３が選択した該処理ユニット１０内部のタスクを表示する。該表示ユニット１４は、該音声信号再生装置１の表面でかつ該一個以上のボタン１３１の位置近くに配置する。該保存ユニット１５は、該処理ユニット１０と電気的に接続し、外部装置のデータの保存を行う。該保存ユニット１５は、ＭＰ３プレーヤのデータを保存可能である他に、ＭＰＥＧ４のファイルデータをも保存することができる。該保存ユニット１５と該処理ユニット１０間には緩衝器１５１を設置する。該デコーダユニット１６は、該処理ユニット１０と電気的に接続し、該デコーダユニット１６は該デジタル音声信号データに対して圧縮処理を行い、デジタル信号とする。該デコーダユニットは、ＭＰ３デコーダである。該アナログデジタルアダプタ１７は、該デコーダユニット１６と電気的に接続し、該アナログデジタルアダプタ１７は、該デコーダユニット１６の処理後のデジタル信号を音声信号に転換し出力する。
【０００８】
本考案の使用時には、先ず該音声信号再生装置１表面上のボタン１３１により該処理ユニット１０を操作し、伝送するデジタルデータを選択する。この時、該デジタルデータのファイル名は、該表示ユニット１４上に表示される。該ファイル名が伝送しようとするデジタルデータであることを確認後、該赤外線伝送機能を具えた設備２を該赤外線伝送ユニット１１と対応させる。こうして、該音声信号再生装置１のデジタルデータは、該赤外線伝送機能を具えた設備２に伝送される。
【０００９】
本考案の音声信号再生装置１が該赤外線伝送機能を具えた設備２により伝送されるデジタルデータを受信する時には、該赤外線伝送ユニット１１と該赤外線伝送機能を具えた設備２を対応させた後、該赤外線伝送機能を具えた設備２を操作し、伝送するデジタルデータを発信するだけで良い。こうして、該赤外線伝送機能を具えた設備２のデジタルデータは、本考案の音声信号再生装置１に伝送される。
【図面の簡単な説明】
【００１０】
【図１】本考案音声信号再生装置のブロックチャートである。
【図２】本考案音声信号再生装置の立体外観指示図である。
【図３】本考案の使用状態指示図である。
【符号の説明】
【００１１】
１  音声信号再生装置
１０  処理ユニット
１１  赤外線伝送ユニット
１２  USBインターフェース
１３  コントロールユニット
１３１  ボタン
１４  表示ユニット
１５  保存ユニット
１５１  緩衝器
１６  デコーダユニット
１７  アナログデジタルアダプタ
２  赤外線伝送機能を具えた設備
【図１】
0003102772.tif 000003
【図２】
0003102772.tif 000004
【図３】
0003102772.tif 000005